(57)【要約】【課題】ズ−ム光学系の駆動負荷を軽減させてズ−ム駆動部を小型化することができ、小型化する電子カメラに設けるシャッタ−として有利なシャッタ−を提供すること。【解決手段】開口部を矩形状に形成したシャッタ−ユニット３０を設け、このシャッタ−ユニット３０をフォ−カス用の第３レンズ群１３の前側となるようにして後固定枠１７に取付固着し、ズ−ム用の第１レンズ群１１と第２レンズ群１２との荷重を軽減し、ズ−ム用カム１８やズ−ム用モ−タ１９などからなるズ−ム駆動部を小型化することができるシャッタ−となっている。【選択図】        図１
2004309952.tif 000002
【特許請求の範囲】
【請求項１】
ズ−ム光学系を備える電子カメラのシャッタ−において、
開口部を矩形状に形成したシャッタ−を設け、
ズ−ム光学系のレンズが移動する領域外となる光学系路に前記シャッタ−を配設したことを特徴とする電子カメラのシャッタ−。
【請求項２】
請求項１に記載した電子カメラのシャッタ−において、
前記シャッタ−の近くにシャッタ−開口部に進出自在とした減光フィルタを備えたことを特徴とする電子カメラのシャッタ−。
【請求項３】
請求項１又は２に記載した電子カメラのシャッタ−において、
矩形形状の光電変換素子の前側にフォ−カス光学系を、このフォ−カス光学系の前側にズ−ム光学系を各々配設すると共に、フォ−カス光学系とズ−ム光学系の間に前記シャッタ−を配設したことを特徴とする電子カメラのシャッタ−。
【発明の詳細な説明】
【０００１】
【発明の属する技術分野】
この発明は、ズ−ム光学系を備える電子カメラのシャッタ−に関する。
【０００２】
【従来の技術】
被写体像光を撮像素子で光電変換し、その光電変換デ−タを記憶媒体に記憶させる構成のカメラ、いわゆる電子カメラ（デジタルカメラ）が知られており、また、このような電子カメラはズ−ミング機能を備えたものが多い。
具体的には、レンズ鏡胴の特定の撮影レンズを移動させることにより、焦点距離を変えて変倍するようになっている。
【０００３】
また、この種の電子カメラは、レンズ鏡胴に機械的なシャッタ−を備えている。
一般的に、このシャッタ−は絞り兼用となっており、撮像素子の露光時間を決めると共に、撮像素子に入射する光の明るさを調整する。
【０００４】
図７は、電子カメラに備えられた撮影レンズのズ−ミング駆動機構を示す斜視図である。
図示するように、このズ−ミング駆動機構は、第１レンズ群１１、第２レンズ群１２、第３レンズ群１３を備え、第１レンズ群１１と第２レンズ群１２とで主にズ−ミングが、第３レンズ群１３によって主にフォ−カシングが行なわれる。
【０００５】
また、第１レンズ群１１のレンズ枠１１ａに設けたボス（軸受け部）１１ｂと、第２レンズ群１２のレンズ枠１２ａに設けたボス（軸受け部）１２ｂとの各々にガイド軸１４を軸挿し、これら第１、第２レンズ群１１、１２が一つのガイド軸１４に支持されている。
【０００６】
そして、レンズ枠１１ａ、１２ａの各々には、ボス１１ｂ、１２ｂとは反対側となる位置に凹部（図示省略）を設け、これら凹部を摺動杆１５に嵌合させてあり、この摺動杆１５によって第１、第２レンズ群１１、１２の回り止めを行なっている。
なお、上記したガイド軸１４、摺動杆１５は撮影光軸に平行させるようにして一端側が前固定枠１６に、他端側が後固定枠１７に各々固着されている。
【０００７】
一方、上記したボス１１ｂにはカムピン（図示省略）が、ボス１２ｂにはカムピン（図示省略）が各々突出形成してあり、これらのカムピンがズ−ム用カム１８の第１、第２カム溝１８ａ、１８ｂに突入している。
ズ−ム用カム１８はズ−ム用モ−タ１９によって回転駆動される。
【０００８】
したがって、ズ−ム用カム１８の回転により、カムピンが第１、第２カム溝１８ａ、１８ｂに沿って駆動されることから、第１レンズ群１１、第２レンズ群１２が光軸方向に移動してズ−ミングが行なわれる。
【０００９】
第３レンズ群１３は、そのレンズ枠１３ａに設けたボス（軸受け部）１３ｂにガイド軸１４を軸挿して支軸されている。
この第３レンズ群１３は、レンズ枠１３ａの一部に設けたナットねじ２０がフォ−カス用モ−タ２１によって回転駆動されるリ−ドスクリュ２２によってねじ送りされることで、光軸方向に進退移動してフォ−カシングする。
【００１０】
また、上記したズ−ミング駆動機構は、第２レンズ群１２の前側になるようにしたシャッタ−（以下、「シャッタ−ユニット」という）２３がレンズ枠１２ａに一体的に取付けられている。
このシャッタ−ユニット２３は、複数のシャッタ−羽根をモ−タ駆動して開閉動作させる構成のもので、撮像素子２４の露光時間を決めると共に、絞り機能を有している。
【００１１】
撮像素子２４は後固定枠１７に取付けられたＣＣＤなどの光電変換素子で、第１〜第３レンズ群を通って入射する被写体像光を光電変換し、その光電変換信号を出力する。
【００１２】
その他、図において、２５は第３レンズ群１３のガタ防止用のスプリング、２６はズ−ミングの初期位置を検出するフォトインタラプタ、２７はフォ−カシングの初期位置を検出するフォトインタラプタ、１６ａは被写体像光を通過させる窓孔を示している。
【００１３】
【発明が解決しようとする課題】
上記のように構成されたズ−ミング駆動機構は、シャッタ−ユニット２３が絞り作用することから、このシャッタ−ユニット２３をズ−ム光学系の絞り位置に配設しなければならない。
なお、このようなシャッタ−ユニット２３は小絞りがあるために、絞り位置以外の位置に設置すると、撮影光がケラれる。
このことから、シャッタ−ユニット２３が移動する第２レンズ群１２の前側に取付けられている。
【００１４】
しかしながら、ズ−ミングによって第１、第２レンズ群１１、１２を移動させるときは、第２レンズ群１２にシャッタ−ユニット２３の荷重が加わるために、この第２レンズ群１２の摺動抵抗が増大する。
【００１５】
また、シャッタ−ユニット２３はシャッタ−羽根を電動駆動するためにフレキシブル回路基板（ＦＰＣ）によってカメラ制御回路と電気接続されている。
このため、第２レンズ群１２の移動にはフレキシブル回路基板をひきずりながら屈曲させるために荷重が増大する。
【００１６】
上記の理由から、シャッタ−ユニット２３を絞り位置に配設した上記したようなズ−ミング駆動機構は、ズ−ミングによって移動させるレンズ群の駆動負荷が大きくなる。
この結果、ズ−ム用モ−タ１９などを含むズ−ム駆動部の小形構成が難しく、カメラの小型化には好ましくない。
【００１７】
本発明は上記した実情にかんがみ、ズ−ム光学系の駆動負荷を軽減させ、ズ−ミング駆動部を小型化することができるようにした電子カメラのシャッタ−を提案することを目的とする。
【００１８】
【課題を解決するための手段】
上記した目的を達成するため、本発明では、ズ−ム光学系を備える電子カメラのシャッタ−において、開口部を矩形状に形成したシャッタ−を設け、ズ−ム光学系のレンズが移動する領域外となる光学系路に前記シャッタ−を配設したことを特徴とする電子カメラのシャッタ−を提案する。
【００１９】
このように構成したシャッタ−は、ズ−ム光学系の可動部にシャッタ−を設けることを要しないので、ズ−ム光学系の駆動負荷を軽減することができ、ズ−ム駆動部の小型化に極めて有利となる。
また、このシャッタ−は、開口部を矩形形状に形成したので、シャッタ−の小型化に有利となる。
すなわち、電子カメラに備えられる光電変換素子は受光面が矩形状のものであるので、シャッタ−開口部を矩形状としても有効撮影光がケラれないし、その上、円形の開口部を有するシャッタ−に比べて小型化することができるから、小型化する電子カメラのシャッタ−として有利となる。
【００２０】
上記のように構成したシャッタ−は、開口部近くに進出自在とした減光フィルタを設けることによって、絞りの減光効果を達成することができる。
【００２１】
上記したシャッタ−は、矩形形状の光電変換素子の前側にフォ−カス光学系を、このフォ−カス光学系の前側にズ−ム光学系を各々配設すると共に、フォ−カス光学系とズ−ム光学系の間に前記シャッタ−を配設するように構成することができる。
【００２２】
【発明の実施の形態】
次に、本発明の一実施形態について図面に沿って説明する。
図１は電子カメラのズ−ミング駆動機構を示した斜視図、図２は同ズ−ミング駆動機構の正面図である。
【００２３】
なお、このズ−ミング駆動機構は、シャッタ−ユニット３０の取付け位置とそのシャッタ−構成に特徴があり、その他は図７に示した従来例と同じ構成であるので、従来例と同じ部材については同符号を付してその説明を省略する。
【００２４】
図示するように、このズ−ミング駆動機構は、シャッタ−ユニット３０が第３レンズ群１３の前側位置となるようにして後側固定枠１７に取付け固着してある。
なお、このように配設するシャッタ−ユニット３０は、第２レンズ群１２と第３レンズ群１３の移動に障害とならないように設ける。
【００２５】
すなわち、図３は図２上のＡ−Ａ線断面図で、ワイドの光学系移動位置を示すが、第２レンズ群１２がシャッタ−ユニット３０の直前の位置に、第３レンズ群１３がシャッタ−ユニット３０の直後の位置に移動するようになっている。
なお、図４はテレの光学系移動位置を示す図３同様の断面図である。
【００２６】
図５、第６はシャッタ−ユニット３０の構成例を示す簡略図であり、図５はシャッタ−閉成状態を、図６はシャッタ−開口状態を各々示している。
なお、これらの図面は後方から見たシャッタ−ユニット３０の簡略図である。このシャッタ−ユニット３０は、２枚のシャッタ−羽根３１、３２と、駆動リング３３とを箱状ケ−ス３４内に備えている。
【００２７】
すなわち、駆動リング３３は外歯を有する歯車リングで、箱状ケ−ス３４に回転自在に支持させてある。
そして、この駆動リング３３の外歯にはシャッタ−用モ−タ３５の出力歯車３６によって連動される連動歯車３７を噛合させ、シャッタ−用モ−タ３５の駆動力で回転させるようにしてある。
【００２８】
一方、シャッタ−羽根３１、３２は支軸３１ａ、３２ａによって箱状ケ−ス３４に旋回自在に軸支してあり、その駆動ピン３１ｂ、３２ｂが駆動リング３３のカム部３３ａ、３３ｂによって駆動されることにより、図５に示すシャッタ−閉成から図６に示すシャッタ−開口に動作する。
すなわち、駆動リング３３が図５において右回転すると、駆動ピン３１ｂ、３２ｂがカム部３３ａ、３３ｂを昇るようにして押し上げ駆動されることから、シャッタ−羽根３１、３２が支軸３１ａ、３２ａを支点に旋回し、シャッタ−開口動作する。
【００２９】
また、図６に示すようにシャッタ−が開口したとき、駆動リング３３を左回転させると、駆動ピン３１ｂ、３２ｂが上記とは反対にカム部３３ａ、３３ｂを滑り下りるようになることから、ばね３８、３９のばね勢力を受ける復動ピン３１ｃ、３２ｃがシャッタ−羽根３１、３２を復動旋回させる。
したがって、シャッタ−羽根３１、３２が復動ピン３１ｃ、３２ｃの復動駆動により、図５に示すシャッタ−閉成状態となる。
【００３０】
シャッタ−羽根３１、３２が上記のように開閉動作することにより、箱状ケ−ス３４に形成した矩形状のシャッタ−開口部３４ａを開閉し、撮像素子２４に対する撮影像光の入射開始とその終了を制御する。
【００３１】
また、上記したシャッタ−ユニット３０には、図３、図４に示したように、減光フィルタ４０が設けてある。
この減光フィルタ４０は被写体像光の明るさを減光させるもので、上記したシャッタ−開口部３４ａを覆うように進出自在となっている。
【００３２】
つまり、この減光フィルタ４０は撮像素子２４に入射する光の強さを調整するもので、強い光が入射するときはシャッタ−開口部３４ａ内に進出させ、入射する光が強くないときは退出させる。
なお、このように進退する減光フィルタ４０については、フィルタ用モ−タを設け、モ−タ駆動によって進退動作させることができる。
【００３３】
また、上記した減光フィルタ４０は、減光濃度の異なる複数のフィルタ部を連続的に設け、撮像素子２４に入射する光の強さの程度に合せたフィルタ部を順次にシャッタ−開口部３４ａ内に進出させるように構成することができる。
【００３４】
以上説明したように、このズ−ミング駆動機構は、シャッタ−開口部３４ａを矩形状に形成したシャッタ−ユニット３０を第３レンズ群１３の前側に配設するようにして後固定枠１７に取付固着したので、シャッタ−ユニット３０を電気接続するフレキシブル回路基板をひきずりながら屈曲させる必要がなく、また、第２レンズ群１２はレンズが主な荷重となることから、第２レンズ群１２の摺動抵抗が減少する。
この結果、ズ−ム光学系の負荷が減少しズ−ミングの駆動部を小形化することができるシャッタ−ユニットとなる。
【００３５】
さらに、シャッタ−ユニット３０のシャッタ−開口部３４ａを矩形状に形成したので、シャッタ−ユニット３０の小型化が可能となり、小型化する電子カメラのシャッタ−として有利となる。
【００３６】
また、減光フィルタ４０はモ−タ駆動する構成としたので、光学特性に優れたガラスＮＤフィルタを使用することができる。
【００３７】
【発明の効果】
上記した通り、本発明は、開口部を矩形状に形成したシャッタ−をズ−ム光学系のレンズ移動領域外となる光学系路に配設したので、ズ−ム光学系の荷重を減少させることができる。
この結果、ズ−ム駆動部の小型化が可能になり、小型化するカメラの撮影光学系に設けるシャッタ−として極めて有利なシャッタ−となる。
【００３８】
また、このように構成したシャッタ−は、その開口部に進出自在とした減光フィルタを設けることによって撮像素子に入射する光の明るさを調整することができる。
【図面の簡単な説明】
【図１】本発明のシャッタ−を備えた電子カメラのズ−ミング駆動機構を示す斜視図である。
【図２】上記ズ−ミング駆動機構の正面図である。
【図３】ズ−ミングのワイドの動作状態を示す図２上のＡ−Ａ線断面図である。
【図４】ズ−ミングのテレの動作状態を示す図３同様の断面図である。
【図５】シャッタ−の閉成状態を示す図である。
【図６】シャッタ−の開口状態を示す図である。
【図７】従来例として示したズ−ミング駆動機構の斜視図である。
【符号の説明】
１１  第１レンズ群
１１ｂ  ボス
１２  第２レンズ群
１２ｂ  ボス
１３  第３レンズ群
１３ｂ  ボス
１４  ガイド軸
１８  ズ−ム用カム
１９  ズ−ム用モ−タ
２４  撮像素子
３０  シャッタ−ユニット
３１  シャッタ羽根
３２  シャッタ羽根
３３  駆動リング
３４  箱状ケ−ス
４０  減光フィルタ
【図１】
2004309952.tif 000003
【図２】
2004309952.tif 000004
【図３】
2004309952.tif 000005
【図４】
2004309952.tif 000006
【図５】
2004309952.tif 000007
【図６】
2004309952.tif 000008
【図７】
2004309952.tif 000009